(57)【要約】【課題】動画の動きにより発生する動画ボケの低減効果を示すことのできる動画像データを生成する。【解決手段】画像表示装置１は、入力される画像フレームから、水平方向にスクロールする画像データを出力する。画像表示装置１は、画像信号処理部１０とフレーム周波数変換部１７を有する。画像信号処理部１０は、入力される画像フレームの画素データを記憶するフレームメモリ１２と、フレームメモリ１２から画像フレームの画素データを読み出して、画像フレームの各ラインについて、当該画像フレームの直前に入力された画像フレームで読み出しを開始した画素位置をシフトさせた画素位置から、読み出しを開始して出力する水平スクロール部１５とを有する。フレーム周波数変換部１７は、画像信号処理部１０から連続した２枚の画像フレームが入力されると、この２枚の画像フレームから補間画像フレームを出力する。【選択図】      図１
2009063659.tif 000002
【特許請求の範囲】
【請求項１】
入力される画像フレームから、水平方向にスクロールする画像データを出力する画像表示装置であって、
入力される画像フレームの画素データを記憶するフレームメモリと、
前記フレームメモリから画像フレームの画素データを読み出して、前記画像フレームの各ラインについて、当該画像フレームの直前の画像フレームで読み出しを開始した画素位置をシフトさせた画素位置から、読み出しを開始して出力する水平スクロール部と、を有する画像信号処理部を備えることを特徴とする画像表示装置。
【請求項２】
入力される画像フレームから、垂直方向にスクロールする画像データを出力する画像表示装置であって、
入力される画像フレームの画素データを記憶するフレームメモリと、
前記フレームメモリから画像フレームの画素データを読み出して、当該画像フレームの直前の画像フレームで読み出しを開始したラインをシフトさせたラインから、読み出しを開始して出力する垂直スクロール部と、を有する画像信号処理部を備えることを特徴とする画像表示装置。
【請求項３】
入力される画像フレームから、斜め方向にスクロールする画像データを出力する画像表示装置であって、
入力される画像フレームの画素データを記憶するフレームメモリと、
前記フレームメモリから画像フレームの画素データを読み出して、当該画像フレームの直前の画像フレームで読み出しを開始したラインをシフトさせたラインから、読み出しを開始して出力する垂直スクロール部と、
前記垂直スクロール部から出力された前記画像フレームの各ラインについて、当該画像フレームの直前に入力された画像フレームで読み出しを開始した画素位置をシフトさせた画素位置から、読み出しを開始して出力する水平スクロール部と、を有する画像信号処理部を備えることを特徴とする画像表示装置。
【請求項４】
前記画像信号処理部から連続した複数枚の画像フレームが入力されると、この複数枚の画像フレームから補間画像フレームを出力するフレーム周波数変換部をさらに備えることを特徴とする請求項１乃至３のいずれか１項に記載の画像表示装置。
【請求項５】
入力される画像フレームから、スクロールする画像データを出力する画像表示装置であって、
入力される画像フレームの画素データを記憶するフレームメモリと、
前記フレームメモリから画像フレームの画素データを読み出して、第１の画像データを出力する第１のスクロール部と、
前記フレームメモリから画像フレームの画素データを読み出して、第２の画像データを出力する第２のスクロール部と、
前記第１の画像データと、前記第２の画像データとを混合して新たな画像フレームを生成する２画面混合部と、
前記２画面混合部から連続した複数枚の画像フレームが入力されると、この複数枚の画像フレームから補間画像フレームを出力するフレーム周波数変換部と、
を備え、
前記第１のスクロール部及び前記第２のスクロール部の少なくとも一つは、請求項１に記載の水平スクロール部から出力された画像データと、請求項２に記載の垂直スクロール部から出力された画像データと、請求項３に記載の垂直スクロール部を介して水平スクロール部から出力された画像データの、いずれか一つを出力することを特徴とする画像表示装置。
【発明の詳細な説明】
【技術分野】
【０００１】
本発明は、入力される画像フレームから、スクロールする画像データを出力する画像表示装置に関する。
【背景技術】
【０００２】
従来、液晶パネルに動画像を表示した場合、液晶パネルのホールド表示によって、残像感が生じ、動画ボケが発生する問題があった。このような問題では特に、テロップのように動きの速い映像等を表示する際、残像感が残ることで緻密な表現をすることができなかった。
【０００３】
しかし、近年では、入力画像の前後の画像から補間画像を作成するフレーム周波数の高速化や、ホールド時間を短くして擬似的にインパルス表示に近づける手法で、動きの速い映像でも残像感の少ない明瞭な映像の表現が可能になってきている。（例えば、特許文献１参照。）。
【０００４】
このような画像表示装置において、一定方向の動きのあるシーンを繰り返し再生することによって、フレーム周波数変換の高速化による動画ボケの低減効果が明らかになる。従って、このような画像表示装置を店頭で販売する際、低減効果の判りやすい画像として、一定方向に動きのあるシーンを繰り返し再生して表示する映像ソースを、外部入力する必要があった。
【０００５】
そこで、動画ボケの低減効果を消費者にアピールするため、画像表示装置の店頭等でのデモンストレーションにおいて、一定方向に動きのあるシーンを含む映像ソースを繰り返し再生して表示する方法が考えられている。
【特許文献１】特開２００６−９１４１２号公報
【発明の開示】
【発明が解決しようとする課題】
【０００６】
しかしながら、店頭等でのデモンストレーションにおいては、内蔵または外付けされたメディアやレコーダ等に予め映像データを記録して、画像表示装置に表示しなければならない。しかし、店頭では限られたスペースと資源で営業されているため、画像表示装置に内蔵または外付けされたメディアやレコーダ等を店頭に設置するのは困難であった。
【０００７】
一方、多くの店頭では、放送電波を受信して画像表示装置に表示しているので、この放送電波を用いることで、限られたスペースや資源でもデモンストレーションを行うことは可能である。しかし、一般的な放送電波では、動画ボケを効果的に示すために、一定方向に動きのあるシーンを表示する映像ソースを見つけることが困難な場合がある。具体的には、ニュースシーンや環境映像を表示する場合は、映像における動きが少ないので、上述した動画ボケの現象を示すことは困難である。また、デモンストレーションする度に、放送電波から動画ボケの現象が効果的に示せる放送を抽出するのも困難である。
【０００８】
このように、店頭でのデモンストレーション等の際に、外部機器を用いることなく画像表示装置の動画ボケの低減効果を示すことが困難であった。
【０００９】
そこで本発明は、動画ボケの低減効果を示すことのできる動画像データを生成する画像表示装置を提供することを目的とする。
【課題を解決するための手段】
【００１０】
上記課題を解決するために、本発明の第１の特徴は、入力される画像フレームから、水平方向にスクロールする画像データを出力する画像表示装置（１）に関する。即ち本発明の第１の特徴に係る画像表示装置（１）は、入力される画像フレームの画素データを記憶するフレームメモリ（１２）と、フレームメモリ（１２）から画像フレームの画素データを読み出して、画像フレームの各ラインについて、当該画像フレームの直前の画像フレームで読み出しを開始した画素位置をシフトさせた画素位置から、読み出しを開始して出力する水平スクロール部（１５）と、を有する画像信号処理部（１０）を備える。
【００１１】
本発明の第２の特徴は、入力される画像フレームから、垂直方向にスクロールする画像データを出力する画像表示装置（１）に関する。即ち本発明の第２の特徴に係る画像表示装置（１）は、入力される画像フレームの画素データを記憶するフレームメモリ（１２）と、フレームメモリ（１２）から画像フレームの画素データを読み出して、当該画像フレームの直前の画像フレームで読み出しを開始したラインをシフトさせたラインから、読み出しを開始して出力する垂直スクロール部（１３）と、を有する画像信号処理部（１０）を備える。
【００１２】
本発明の第３の特徴は、入力される画像フレームから、斜め方向にスクロールする画像データを出力する画像表示装置（１）に関する。即ち本発明の第３の特徴に係る画像表示装置（１）は、入力される画像フレームの画素データを記憶するフレームメモリ（１２）と、フレームメモリ（１２）から画像フレームの画素データを読み出して、当該画像フレームの直前の画像フレームで読み出しを開始したラインをシフトさせたラインから、読み出しを開始して出力する垂直スクロール部（１３）と、垂直スクロール部（１３）から出力された画像フレームの各ラインについて、当該画像フレームの直前に入力された画像フレームで読み出しを開始した画素位置をシフトさせた画素位置から、読み出しを開始して出力する水平スクロール部（１５）と、を有する画像信号処理部（１０）を備える。
【００１３】
本発明の第１乃至第３の特徴に係る画像表示装置において、画像信号処理部（１０）から連続した複数枚の画像フレームが入力されると、この複数枚の画像フレームから補間画像フレームを出力するフレーム周波数変換部（１７）をさらに備えてもよい。
【００１４】
本発明の第４の特徴は、入力される画像フレームから、スクロールする画像データを出力する画像表示装置（１）に関する。即ち本発明の第４の特徴に係る画像表示装置（１）は、入力される画像フレームの画素データを記憶するフレームメモリ（１２）と、フレームメモリ（１２）から画像フレームの画素データを読み出して、第１の画像データを出力する第１のスクロール部（１８ａ）と、フレームメモリ（１２）から画像フレームの画素データを読み出して、第２の画像データを出力する第２のスクロール部（１８ｂ）と、第１の画像データと、第２の画像データとを混合して新たな画像フレームを生成する２画面混合部（１９）と、２画面混合部（１９）から連続した複数枚の画像フレームが入力されると、この複数枚の画像フレームから補間画像フレームを出力するフレーム周波数変換部（１７）と、を備え、第１のスクロール部（１８ａ）及び前第２のスクロール部（１８ｂ）の少なくとも一つは、請求項１に記載の水平スクロール部（１５）から出力された画像データと、請求項２に記載の垂直スクロール部（１３）から出力された画像データと、請求項３に記載の垂直スクロール部（１３）を介して水平スクロール部（１５）から出力された画像データの、いずれか一つを出力する。
【発明の効果】
【００１５】
本発明によれば、動画の動きにより発生する動画ボケの低減効果を示すことのできる動画像データを生成する画像表示装置を提供することができる。
【発明を実施するための最良の形態】
【００１６】
次に、図面を参照して、本発明の実施の形態を説明する。以下の図面の記載において、同一または類似の部分には同一または類似の符号を付している。
【００１７】
本実施の形態においては、各画像フレームの読み出しは、左上から右下方向に、各ライン毎に行われる場合について説明する。また、各画像フレームにおいては、最上段を第０ラインと呼び、各ラインの左端の画素を第０アドレスの画素と呼ぶ。従って、ｍ画素＊ｎラインの画素数を有する画像フレームの読み出しにおいては、第０ラインの第０アドレスから読み出され、第０ラインの第（ｍ−１）画素まで読み出されると、第１ラインの第１画素が読み出される。このように順次画素が読み出され、第（ｎ−１）ラインの第（ｍ−１）画素が読み出されると、当該画像フレームについての画素データの読み出しは終了する。
【００１８】
（実施の形態）
（画像表示装置）
本発明の実施の形態に係る画像表示装置１は、画像を表示する装置であって、具体的にはテレビやディスプレイなどである。具体的には、本発明の実施の形態に係る画像表示装置１は、入力される画像フレームから、水平方向にスクロールする画像データを出力する。
【００１９】
図１に示す本発明の実施の形態に係る画像表示装置１は、画像信号処理部１０と、フレーム周波数変換部１７と、画像表示部（図示せず）と、を備える。画像表示部は、画像信号処理部１０及びフレーム周波数変換部１７を介して処理された画像データを、ディスプレイに表示する。
【００２０】
画像信号処理部１０は、画像表示装置１に入力された画像フレームから、水平スクロールする動画像データを生成する。ここで入力される画像フレームは、静止画の画像データであってもよいし、動画の画像データであってもよい。
【００２１】
画像信号処理部１０は、ＩＰ変換部１１、フレームメモリ１２、垂直スケーラ部１４、水平スクロール部１５及び水平スケーラ部１６を備える。
【００２２】
ＩＰ変換部１１は、画像表示装置１に入力されたインターレース方式の信号を、プログレッシブ方式の信号に変換して、フレームメモリ１２に記憶する。ここでインターレース方式の信号とは、テレビやディスプレイなどが、一つの画像フレームの表示において、画像フレームの奇数段目のラインと偶数段目のラインの２回の走査に分けて行う方式である。一方プログレッシブ方式とは、一つの画像フレームの表示において、１回の走査で行う方式である。
【００２３】
フレームメモリ１２は、ＩＰ変換部１１によって変換されたプログレッシブ方式の信号を記憶する。フレームメモリ１２に入力される画像フレームの画素データが記録されると、フレームメモリ１２に記録された一枚分の画像フレームの画素データが、後述する垂直スケーラ部１４等によって、処理される。
【００２４】
垂直スケーラ部１４は、フレームメモリ１２から読み出して、読み出した画像データを、一つの画像フレーム毎に垂直方向に所定倍数で拡大または縮小して、水平スクロール部１５に入力する。
【００２５】
ここで、画像表示装置１によって通常の動画像を表示する場合、フレームメモリ１２に順次動画像データが書き込まれる。さらに、垂直スケーラ部１４によってフレームメモリ１２のリードアドレスが制御される。動画像データの画像フレームを処理単位として、順次動画像データが読み出され、垂直スケーラ部１４に入力される。一方、画像表示装置１に入力された動画像を、ＩＰ変換部１１によってフレームメモリ１２への書き込みを停止することによって、動画像データに含まれる一つの画像フレームをキャプチャし、垂直スケーラ部１４によってこの一つの画像が繰返し読み出される。これにより、一種類の画像フレームからなる動画像データが、垂直スケーラ部１４に入力される。
【００２６】
水平スクロール部１５は、水平スクロール部１５に入力された画素データを書き込む際は、全ての画像フレーム及び全てのラインで共通する画素位置、例えば各ラインの左端の第０アドレスの画素位置から書き出す。水平スクロール部１５は、画像フレームの各ラインについて、当該画像フレームの直前に入力された画像フレームで読み出しを開始した画素位置をシフトさせた画素位置から、読み出しを開始して出力する。これにより、画像フレームの単位で、水平方向で、書き込みの画素位置と読み出しの画素位置とがずれた新たな画像フレームを出力することができる。これを、各画像フレームについて繰り返すことにより、実施の形態に係る画像信号処理部１０は、水平方向にスクロールした動画像データを出力することができる。水平スクロール部１５については、後に詳述する。
【００２７】
水平スケーラ部１６は、水平スクロール部１５から入力された画像データを、一つの画像フレーム毎に水平方向に拡大または縮小して、フレーム周波数変換部１７に入力する。
【００２８】
フレーム周波数変換部１７は、画像信号処理部（１０）から連続した２枚の画像フレームが入力されると、この２枚の画像フレームから補間画像フレームを出力する手段である。フレーム周波数変換部１７については、後に詳述する。
【００２９】
（水平スクロール部）
ここで、水平スクロール部１５の処理を詳述する。
【００３０】
図２に示すように、水平スクロール部１５は、２つのラインメモリ２１ａ及び２１ｂ、ラインアドレスカウンタ２２及びリードアドレスカウンタ２３を備えている。
【００３１】
垂直スケーラ部１４から出力された画像フレームについて、画素データが１ライン毎にラインメモリ２１ａまたはラインメモリ２１ｂのいずれかに交互に書き込まれる。そのとき、書き込みアクセスされていないもう一方のラインメモリ２１ａまたはラインメモリ２１ｂから、１ライン分の画素データが交互に読み出される。ライトアドレスカウンタ２２は、書き込みアドレスを制御するカウンタであって、リードアドレスカウンタ２３は、読み出すアドレスを制御するカウンタである。
【００３２】
ライトアドレスカウンタ２２は、ラインメモリ２１ａまたは２１ｂに書き込むアドレスを制御するカウンタである。ライトアドレスカウンタ２２は、１ライン毎に０にリセットされ、メモリの先頭から順にカウントしながら画素データを書き込む。具体的には図３に示すように、水平方向の表示有効８画素（第０アドレスから第７アドレス）持つ各ラインのデータを書き込む場合、全ての画像フレームにおいて、時間０のときに、第０アドレスの画素データが読み出され、時間７のときに、第７アドレスの画素データが読み出されている。このように、ライトアドレスカウンタ２２は、各画像フレームの各ラインにおいて、時間０のときにライトアドレスカウンタを０にリセットしている。
【００３３】
リードアドレスカウンタ２３は、ラインメモリ２１ａまたは２１ｂから読み出すアドレスを制御するカウンタである。リードアドレスカウンタ２３は、水平スクロールしない場合は、ライトアドレスカウンタ２２と同様に、１ライン毎に０にリセットされ、メモリの先頭から順にカウントしながら画素データを書き込む。しかし、水平スクロールする場合、リードアドレスカウンタ２３は、各フレーム毎に、読み出し開始位置が所定方向に所定のアドレスシフト量だけシフトされている。
【００３４】
具体的には図４を参照して説明する。図４においては、アドレスシフト量として「＋１」が設定されている場合について説明する。図４において示す時間の単位は、一つの画素の画素データを読み出すのに要する単位時間である。
【００３５】
図４に示すように、水平方向の表示有効８画素（第０アドレスから第７アドレス）を持つ各ラインの画素データを読み出す場合、画像フレーム０において、時間０のときに、第０アドレスの画素データが読み出され、時間７のときに、第７アドレスの画素データが読み出される。次に画像フレーム１の処理をする際、アドレスシフト量「＋１」が設定されるので、リードアドレスカウンタ２３には、「１」がセットされる。これにより第２の画像フレームの処理をする際、時間０のときに、第１アドレスの画素データが読み出され、時間６のときに、第７アドレスの画素データが読み出される。各ラインの終端の画素データが読み出されると、さらに、時間７のときに、第０アドレスの画素データ、即ち、読み出し開始アドレス「１」の一つ前のアドレス「０」の画素データが読み出される。さらに、画像フレーム２において、時間０のときに、第２アドレスの画素データが読み出される。
【００３６】
図３及び図４に示すように、画素フレーム毎にリードアドレスのアドレスシフト量を「＋１」することにより、画素フレーム毎に一つずつ右側にずれた画素フレームが出力されるので、画面右側から左側に流れる画像データを出力することができる。
【００３７】
従って、水平スクロール部１５に入力された画像データが図５（ａ）に示すように動きが少ないか静止している画像データであったとしても、リードアドレスカウンタ２３のリセット値、具体的には、各ラインの読み出し開始アドレスを所定のアドレスシフト量ずつシフトさせることにより、水平スクロール部１５は、図５（ｂ）に示すような動きのある画像データを出力することができる。図５（ｂ）に示す例では、アドレスシフト量が「Ｓ＿ｈ」に設定されている。これにより、各フレームについて水平方向にアドレスシフト量Ｓ＿ｈずつずれ、右から左に流れるスクロール画像を生成することができる。
【００３８】
ここで、アドレスシフト量によって、スクロール速度及びスクロールの方向が決定される。具体的には、アドレスシフト量の絶対値が大きいと、スクロール速度が速いスクロール画像を生成することができる。上述のようにアドレスシフト量がプラスの値の場合は右から左に流れるスクロール画像を生成することができる。一方、アドレスシフト量がマイナスの場合、左から右に流れるスクロール画像を生成することができる。また、各フレームでリードアドレスカウンタ２３をリセットしなくとも、所定周期のフレーム数でリセットすることにより、さらにスクロール速度の遅いスクロール画像を生成することができる。
【００３９】
（フレーム周波数変換部）
ここで、フレーム周波数変換部１７の処理を詳述する。
【００４０】
フレーム周波数変換部１７は、図６に示すように、６０Ｈｚの入力画像を、１２０Ｈｚの出力画像に変換して出力する。フレーム周波数変換部１７は、隣接する２つの画像フレーム１０１ａ及び１０１ｂについて動きベクトルを検出する。さらにフレーム周波数変換部１７は、検出した動きベクトルに基づいて、動き補償補間した画像フレーム１０２ａを生成する。フレーム周波数変換部１７は、動き補償補間した画像フレーム１０２ａを、動きベクトルを検出した画像フレーム１０１ａ及び１０１ｂの間に挿入する。
【００４１】
このように、動き補償補間した画像フレーム１０２ａを挿入することにより、１秒間に６０枚の画像フレームを持つ動画を、１秒間に１２０枚の画像フレームを持つ動画に変換することができる。これにより、液晶表示装置のようなホールド表示型で応答速度の遅い表示パネルを最適に駆動し、ノイズなどによるざらつきの発生を改善し、動画ボケを低減させた動画像を生成することができる。
【００４２】
以上、説明したように本発明の実施の形態によれば、水平スクロール部１５において画像フレーム毎に、各ラインにおける画素の読み出しを開始するリードアドレスカウンタを変更することにより、水平方向にスクロールした動画像データを生成することができる。従って、動きの少ない動画像データや静止画像データから、画像信号処理部１０は、水平スクロールする動画像を出力することができる。実施の形態に係る画像表示装置１は、フレーム周波数変換部１７による動画ボケを低減させた動画像の生成の効果を確認することができる。
【００４３】
このような画像信号処理部１０により、デモンストレーション画像を用意しなくても、任意の画像データから、動画ボケの低減効果の確認に好適な、動きのある画像データを生成することができる。これにより、設置スペースや設置位置にかかわらず、動画ボケの低減効果を確認させることのできる画像表示装置を提供することができる。
【００４４】
（第１の変形例）
実施の形態においては、水平方向にスクロールした動画像データを出力する場合について説明したが、第１の変形例に係る画像表示装置は、入力される画像フレームから、垂直方向にスクロールする画像データを出力する。
【００４５】
図７に示す本発明の実施の形態に係る画像表示装置１Ａは、画像信号処理部１０Ａとフレーム周波数変換部１７を備える。画像信号処理部１０Ａは、画像表示装置１に入力された画像フレームから、垂直スクロールする動画像データを生成する。画像信号処理部１０Ａは、ＩＰ変換部１１、フレームメモリ１２、垂直スクロール部１３、垂直スケーラ部１４及び水平スケーラ部１６を備える。
【００４６】
図１に示した本発明の実施の形態における画像表示装置１と比べると、水平スクロール部１５を備えておらず、垂直スクロール部１３を備えている点が異なる。
【００４７】
ＩＰ変換部１１、フレームメモリ１２、垂直スケーラ部１４及び水平スケーラ部１６は、上述した本発明の実施の形態における各部と同様の処理を行う。
【００４８】
垂直スクロール部１３は、フレームメモリ１２から画像フレームの画素データを読み出して、当該画像フレームの直前に入力された画像フレームで読み出しを開始したラインをシフトさせたラインから、読み出しを開始して出力する。これにより、画像フレームの単位で、垂直方向で、読み出しのラインと書き出しのラインとがずれた新たな画像フレームを出力することができる。これを、各画像フレームについて繰り返すことにより、第１の変形例に係る画像信号処理部１０Ａは、垂直方向にスクロールした画像データを出力することができる。
【００４９】
垂直スクロール部１３によって垂直スクロール処理された画像データは、画像フレーム毎に、垂直スケーラ部１４に入力され、垂直方向にスケーリングされる。垂直方向にスケーリングされた画像データは、水平スケーラ部１６に入力され、水平方向にスケーリングされる。水平方向にスケーリングされた画像データは、フレーム周波数変換部１７に入力される。
【００５０】
（垂直スクロール部）
ここで、垂直スクロール部１３の処理を詳述する。
【００５１】
垂直スクロール部１３は、フレームメモリ１２のリードアドレスのラインカウンタを制御する。本発明の第１の変形例においても、実施の形態と同様に、画像表示装置１に入力される画像は、動画像データであり、動きの少ない画像データでもよい。画像表示装置１によって通常の動画像を表示する場合、フレームメモリ１２に順次動画像データが書き込まれる。さらに、垂直スクロール部１３によってフレームメモリ１２のリードアドレスが制御され、順次動画像データが読み出され、垂直スクロール部１３に入力される。一方、画像表示装置１に入力された動画像を、ＩＰ変換部１１によってフレームメモリ１２への書き込みを停止することによって、動画像データに含まれる一つの画像フレームをキャプチャし、垂直スクロール部１３によってこの一つの画像が繰返し読み出されることにより、動画像データとして垂直スクロール部１３に入力される。
【００５２】
垂直スクロール処理をしない場合、垂直スクロール部１３は、各画像フレームについて第０ラインから順次画像の読み出しを行う。一方、垂直スクロール処理をする場合、各画像フレームの単位で、読み出しを開始するラインが所定方向に所定のアドレスシフト量だけシフトされる。
【００５３】
具体的には図８を参照して説明する。図８においては、アドレスシフト量として「＋１」が設定されている場合について説明する。図８において示す時間の単位は、一つのラインの各画素、即ち一つのラインに８画素ある場合は８画素の画素データを読み出すのに要する単位時間である。
【００５４】
図８に示すように、垂直方向に表示有効４画素（第０ラインから第３ライン）を持つ画像フレームの画素データを読み出す場合、画像フレーム０において、時間０のときに、第０ラインの各画素データが読み出され、時間３のときに、第３ラインの各画素データが読み出される。次に画像フレーム１の処理をする際、アドレスシフト量「＋１」が設定される。従って、その直前で読み出された画像フレーム０で読み出しを開始された第０ラインから「＋１」シフトさせ、時間０のときに、第１ラインの各画素データが読み出され、時間２のときに、第３ラインの各画素データが読み出される。終端の第３ラインの画素データが読み出されると、さらに、時間４のときに、第０ラインの画素データ、即ち読み出し開始ライン「１」の一つ前のラインの第０ラインの各画素データが読み出される。さらに、画像フレーム２において、時間０のときに、第２ラインの各画素データが読み出される。
【００５５】
図８に示すように、画像フレーム毎に読み出しを開始するラインのアドレスシフト量を「＋１」することにより、画像フレーム毎に一つずつ下側にずれた画像フレームが出力されるので、画面下側から上側に流れる画像データを出力することができる。
【００５６】
従って、垂直スクロール部１３に入力された画像データが図９（ａ）に示すように動きのない静止画の画像データであったとしても、各画像フレームにおいて読み出しを開始するラインを所定数ずつシフトさせることにより、垂直スクロール部１３は、図９（ｂ）に示すような動きのある画像データを出力することができる。図９（ｂ）に示す例では、アドレスシフト量が「Ｓ＿ｖ」に設定されている。これにより、各フレームについて読み出し開始ラインが垂直方向にアドレスシフト量Ｓ＿ｖずつずれ、下から上に流れるスクロール画像を生成することができる。
【００５７】
ここで、アドレスシフト量によって、スクロール速度及びスクロールの方向が決定される。具体的には、アドレスシフト量の絶対値が大きいと、スクロール速度が速いスクロール画像を生成することができる。上述のようにアドレスシフト量がプラスの値の場合は下から上に流れるスクロール画像を生成することができる。一方、アドレスシフト量がマイナスの場合、上から下に流れるスクロール画像を生成することができる。また、各フレームで読み出しを開始するラインをリセットしなくとも、所定周期のフレーム数でリセットすることにより、さらにスクロール速度の遅いスクロール画像を生成することができる。
【００５８】
以上、説明したように第１の変形例によれば、垂直スクロール部１３において画像フレーム毎に読み出しを開始するラインを変更することにより、垂直方向にスクロールした動画像データを生成することができる。従って、動きの少ない動画像データや静止画像データから、画像信号処理部１０Ａは、垂直スクロールする動画像を出力することができる。実施の形態に係る画像表示装置１Ａは、フレーム周波数変換部１７による動画ボケを低減させた動画像の生成の効果を確認することができる。
【００５９】
このような画像信号処理部１０Ａにより、デモンストレーション画像を用意しなくても、任意の画像データから、動画ボケの低減効果の確認に好適な、動きのある画像データを生成することができる。これにより、設置スペースや設置位置にかかわらず、動画ボケの低減効果を確認させることのできる画像表示装置を提供することができる。
【００６０】
（第２の変形例）
実施の形態においては、水平方向にスクロールした動画像データを出力する場合について説明したが、第２の変形例に係る画像表示装置１は、入力される画像フレームから、斜め方向にスクロールする画像データを出力する。第２の変形例における斜め方向のスクロールは、第１の変形例で説明した垂直スクロールの処理をした後、実施の形態で説明した水平スクロールの処理をすることにより実現される。
【００６１】
図１０に示す本発明の実施の形態に係る画像表示装置１Ｂは、画像信号処理部１０Ｂとフレーム周波数変換部１７を備える。画像信号処理部１０Ｂは、画像表示装置１Ｂに入力された画像フレームから、斜めスクロールする動画像データを生成する。画像信号処理部１０Ｂは、ＩＰ変換部１１、フレームメモリ１２、垂直スクロール部１３、垂直スケーラ部１４、水平スクロール部１５及び水平スケーラ部１６を備える。
【００６２】
図１に示した本発明の実施の形態における画像表示装置１と比べると、さらに、垂直スクロール部１３を備えている点が異なる。
【００６３】
ＩＰ変換部１１、フレームメモリ１２、垂直スケーラ部１４及び水平スケーラ部１６は、上述した本発明の実施の形態における各部と同様の処理を行う。
【００６４】
垂直スクロール部１３は、第１の変形例における垂直スクロール部１３の処理と同様の処理を行う。垂直スクロール部１３によって垂直スクロール処理された画像データは、画像フレーム毎に垂直スケーラ部１４に入力され、垂直方向にスケーリングされた後、水平スクロール部１５に入力される。水平スクロール部１５は、実施の形態における水平スクロール部１５の処理と同様の処理を行う。水平スクロール部１５によって水平スクロール処理された画像データは、画像フレーム毎に水平スケーラ部１６に入力され、水平方向にスケーリングされた後、フレーム周波数変換部１７に入力される。
【００６５】
上記の処理により、垂直スクロール部１３に入力された画像データが図１１（ａ）に示すように動きのない静止画の画像データであったとしても、各画像フレームにおいて読み出しを開始するラインを所定数ずつシフトさせることにより、図１１（ｃ）に示すような動きのある画像データを出力することができる。図１１に示す例では、垂直スクロール部１３は、図１１（ａ）の画像データから、読み出し開始ラインをアドレスシフト量Ｓ＿ｖだけシフトすることにより、図１１（ｂ）に示すように、垂直スクロールした画像を出力することができる。さらに水平スクロール部１５は、図１１（ｂ）に示す垂直スクロールした画像データから、各画像フレームの各ラインにおける読み出しアドレスを制御するリードアドレスカウンタのリセット値をアドレスシフト量Ｓ＿ｈだけシフトすることにより、図１１（ｃ）に示す水平スクロールした画像データを出力することができる。このように、本発明の第２の変形例によれば、図１１（ａ）に示す画像データから、図１１（ｃ）に示す斜めスクロールした画像データを出力することができる。
【００６６】
ここで、水平方向及び垂直方向の各アドレスシフト量によって、スクロール速度及びスクロールの方向が決定される。水平方向のアドレスシフト量の正負、垂直方向のアドレスシフト量の正負によって、右上、右下、左上、左下の各方向へスクロールする動画像データを生成することができる。また、アドレスシフト量の絶対値が大きいと、スクロール速度が速いスクロール画像を生成することができる。一方、アドレスシフト量を変化させるタイミングを、画像フレーム毎ではなく、複数の画像フレーム毎とすることにより、よりスクロール速度の遅いスクロール画像を生成することができる。
【００６７】
以上、説明したように第２の変形例によれば、垂直スクロール部１３において画像フレーム毎に読み出しを開始するラインを変更するとともに、水平スクロール部１５において各ラインの読み出し開始アドレスを変更することにより、斜め方向にスクロールした動画像データを生成することができる。従って、画像信号処理部１０Ｂは、斜めスクロールする動画像を出力することができる。第２の変形例に係る画像表示装置１Ｂは、フレーム周波数変換部１７による動画ボケを低減させた動画像の生成の効果を確認することができる。
【００６８】
このような画像信号処理部１０Ｂにより、デモンストレーション画像を用意しなくても、任意の画像データから、動画ボケの低減効果の確認に好適な、動きのある画像データを生成することができる。これにより、設置スペースや設置位置にかかわらず、動画ボケの低減効果を確認させることのできる画像表示装置を提供することができる。
【００６９】
（第３の変形例）
第３の変形例においては、画像表示装置によって処理された画像データを表示する際、１画面に２種類の画像を表示する場合について説明する。
【００７０】
図１２に示す本発明の実施の形態に係る画像表示装置１Ｃは、画像信号処理部１０Ｃとフレーム周波数変換部１７を備える。画像信号処理部１０Ｃは、画像表示装置１Ｃに入力された画像フレームから、２種類の画面が混合された動画像データを生成する。画像信号処理部１０Ｃは、ＩＰ変換部１１、フレームメモリ１２、第１のスクロール部１８ａ、第２のスクロール部１８ｂ及び２画面混合部１９を備える。
【００７１】
第１のスクロール部１８ａは、フレームメモリ１２から画像フレームを読み出して、第１の画像データを出力する。第２のスクロール部１８ｂは、フレームメモリ１２から画像フレームを読み出して、第２の画像データを出力する。第１のスクロール部１８ａ及び第２のスクロール部１８ｂの少なくとも一つは、実施の形態で説明した水平スクロール処理された画像データと、第１の変形例で説明した垂直スクロール処理された画像データと、第２の変形例で説明した斜めスクロール処理された画像データの、いずれか一つを出力する。もう一方は、スクロール処理されていない画像データが表示されてもよいし、実施の形態で説明した水平スクロール処理された画像データと、第１の変形例で説明した垂直スクロール処理された画像データと、第２の変形例で説明した斜めスクロール処理された画像データの、いずれか一つを出力してもよい。
【００７２】
２画面混合部１９は、第１のスクロール部１８ａから出力された第１の画像データと、第２のスクロール部１８ｂから出力された第２の画像データとを混合して、新たな画像フレームを生成し、フレーム周波数変換部１７に出力する。この際、２画面混合部１９は、第１のスクロール部１８ａから出力された第１の画像データと、第２のスクロール部１８ｂから出力された第２の画像データが表示画面上の異なる位置に表示されるように、タイミングが制御される。
【００７３】
第３の実施例におけるフレーム周波数変換部１７は、例えば図１３のような画像データを画像表示装置１に表示させることができる。画像表示装置１の表示領域１０５は第１の表示領域１０３と第２の表示領域１０４を有している。第１の表示領域１０３と第２の表示領域１０４は、均等に割り当てられている。第１の表示領域１０３には、第１の画像データに基づいて表示されている。第２の表示領域１０４には、第２の画像データに基づいて表示されている。図１３に示す例では、第１の表示領域１０３と第２の表示領域１０４の両方で、垂直表示画素幅に合うように、垂直スクロール処理された画像データが表示されている。
【００７４】
（第１のスクロール部及び第２のスクロール部）
第１のスクロール部１８ａが水平スクロールされた画像データを出力する際、第１のスクロール部１８ａは、垂直スケーラ部１４、水平スクロール部１５及び水平スケーラ部１６を有する。同様に、垂直スクロールされた画像データを出力する際、第１のスクロール部１８ａは、垂直スクロール部１３、垂直スケーラ部１４及び水平スケーラ部１６を有する一方、斜めスクロールされた画像データを出力する際、第１のスクロール部１８ａは、垂直スクロール部１３、垂直スケーラ部１４、水平スクロール部１５及び水平スケーラ部１６を有する。また、第１のスクロール部１８ａがスクロールしていない画像データを出力する際、第１のスクロール部１８ａは、垂直スケーラ部１４及び水平スケーラ部１６を有する。
【００７５】
第２のスクロール部１８ｂも、第１のスクロール部１８ａと同様である。具体的には、第２のスクロール部１８ｂが水平スクロールされた画像データを出力する際、第２のスクロール部１８ｂは、垂直スケーラ部１４、水平スクロール部１５及び水平スケーラ部１６を有する。同様に、垂直スクロールされた画像データを出力する際、第２のスクロール部１８ｂは、垂直スクロール部１３、垂直スケーラ部１４及び水平スケーラ部１６を有する一方、斜めスクロールされた画像データを出力する際、第２のスクロール部１８ｂは、垂直スクロール部１３、垂直スケーラ部１４、水平スクロール部１５及び水平スケーラ部１６を有する。また、第１のスクロール部１８ａがスクロールしていない画像データを出力する際、第２のスクロール部１８ｂは、垂直スケーラ部１４及び水平スケーラ部１６を有する。
【００７６】
第１のスクロール部１８ａと第２のスクロール部１８ｂとは、同様のスクロール画像を出力してもよいし、異なるスクロール画像を出力してもよい。少なくとも第１のスクロール部１８ａと第２のスクロール部１８ｂのいずれかから、スクロール画像が出力されていればよい。例えば、第１のスクロール部１８ａが斜めスクロールされた画像を出力し、第２のスクロール部１８ｂがスクロールしない画像を出力してもよい。
【００７７】
このとき、第１のスクロール部１８ａと、第２のスクロール部１８ｂにおいて、垂直スクロール幅、垂直リサイズ率、水平スクロール幅及び水平リサイズ率は、一致している。フレームメモリ１２に記憶された画像フレームは、第１のスクロール部１８ａと、第２のスクロール部１８ｂとの２系統に分配されて処理され、２画面混合部１９に入力される。
【００７８】
このような第３の変形例においては、一つの画面に、一つのソース画像から、スクロールする画像データを少なくとも含む２種類の画像データを表示することができる。これにより、２種類の画像データを比較することができるので、フレーム周波数変換部１７の処理性能を確認することができる。第１のスクロール部１８ａと第２のスクロール部１８ｂにおいて、異なるスクロール速度を有する画像データを出力してもよい。また、一方の画像データを静止画にし、もう一方の画像データをスクロールする画像にすることで、静止画像とスクロールする静止画を比較させることもできる。
【００７９】
（第４の変形例）
第４の変形例においては、上述した実施の形態、第１の変形例及び第２の変形例におけるスクロール処理に基づいて、テレビ受信機等の画像表示装置１でデモンストレーションする際の処理を説明する。画像表示装置１は、リモコンで操作することが可能であることが好ましい。このリモコンには、フレーム周波数変換部１７による動画ボケの低減効果を示すためのデモンストレーションモードに切り替えるデモンストレーション用ボタンが設けられている。
【００８０】
まず、デモンストレーション用ボタンが押下され、デモンストレーションを開始する指示が画像表示装置１に送信される。ボタンが押下される回数により、図１４に示すように、水平スクロールモード３１、垂直スクロールモード３２、斜めスクロールモード３３、通常画面モード３４、水平スクロールモード３１と切り替わる。このモードの切り替えに対応してスクロール処理を変更することにより、画像表示装置１は、各モードに対応した画像データを出力できるよう制御される。
【００８１】
ここで、水平スクロールモード３１は、本発明の実施の形態で説明した方法で出力された画像データを、画像表示装置１に表示する様式である。垂直スクロールモード３２は、第１の変形例で説明した方法で出力された画像データを、画像表示装置１に表示する様式である。斜めスクロールモード３３は、第２の変形例で説明した方法で出力された画像データを、画像表示装置１に表示する様式である。通常画面モード３４は、フレームメモリ１２に入力された画像フレームについて、垂直スケーラ部１４による垂直方向のスケーリング処理と、水平スケーラ部１６による水平方向のスケーリング処理が施された画像データを、画像表示装置１に表示する様式である。通常画面モードの際は、垂直スクロール部１３による垂直方向のスクロール処理と、水平スクロール部１５による水平方向のスクロール処理は施されていない。
【００８２】
再び水平スクロールモード３１に切り替わると、画像信号処理部１０は、画像信号処理部１０に入力された動画像に含まれる画像フレームをフレームメモリ１２にキャプチャし、スクロール速度を変更するよう制御される。例えば、スクロール速度の変更前は、アドレスシフト量が「＋１」であったところ、アドレスシフト量が「＋４」に変更される。さらに、デモンストレーション用ボタンの押下によって、水平スクロールモード３１、垂直スクロールモード３２、斜めスクロールモード３３、通常画面モード３４、水平スクロールモード３１とモードの切り替えが再開される。
【００８３】
リモコンに設けられた一時停止ボタンなどのボタンが押下されることによって、画像信号処理部１０は、スクロール部のアドレスシフト量を「０」に固定するか、「０以外の値」に設定する状態かを切り替え、画像表示装置１に表示する画像を、スクロール処理を一時停止して静止している状態か、スクロールしている状態かを選択できるように制御してもよい。また、リモコンに設けられた上下ボタンなどのボタンが押下されることにより、画像信号処理部１０は、スクロール処理速度を変更できるように、具体的には、アドレスシフト量の絶対値が大きくなるように制御してもよい。このとき、画像信号処理部１０は、アドレスシフト量が取る値である下限値から上限値までの数字の絶対値を、スクロール処理速度として表示画面に表示するように制御してもよい。また、リモコンに設けられた左右ボタンなどのボタンが押下されることにより、画像信号処理部１０は、スクロール方向を切り替えるように、具体的には、アドレスシフト量の正負を変更するように制御してもよい。
【００８４】
このように、画像信号処理部１０は、画像表示装置１のリモコンからの信号を受信することによって、スクロールの速度、方向等を任意に設定した画像データを出力することができる。これにより、顧客に対し、インパクトのあるデモンストレーション用の画像データを提供することができる。
【００８５】
（第５の変形例）
上記の実施例においては、スクロール速度及び方向が均一の場合について説明したが、画像信号処理部１０がスクロール処理画像を出力する際、スクロール処理の速度及び方向が変化する場合について説明する。具体的には、画像フレーム単位で、リードアドレスのアドレスシフト量が変化することにより、スクロール速度及び方向が変化する。第５の変形例においては特に、図１５に示すように、スクロール速度が等加速で増加または減少する場合について説明する。
【００８６】
第５の変形例において、スクロール速度を加速する場合は、フレーム単位でアドレスシフト量を増加させる。スクロール速度を１フレームにつき１画素分上げる場合、具体的には正の等加速度を持つ場合、リードアドレスのアドレスシフト量は、直前の読み出し開始位置と比べて、「＋１」、「＋２」、「＋３」、「＋４」…と変化する。ここで、アドレスシフト量の等差は、加速度に相当する。この場合、等差が１であるので、１フレームにつき速度が１画素分増加することを示す。この例の場合、スクロール開始時における読み出し開始位置と比べると、リードアドレスのアドレスシフト量は、「＋１」、「＋３」、「＋６」…と変化する。この速度変化は、例えば１画素フレーム単位で行われる。
【００８７】
スクロール速度が等加速する場合、各画像フレームについて、図１６に示すようなアドレスシフト量を有する。図１６の例では、上記の実施の形態において、水平方向のスクロール速度が等加速する場合のリードアドレスのカウンタ制御を示している。図１６においては、フレーム０については、第０アドレスの画素から読み出しが開始される。フレーム１においては、フレーム０の読み出し開始アドレス「０」にアドレスシフト量「＋１」が加算された第１アドレスの画素から読み出しが開始される。フレーム２においては、フレーム１の読み出し開始アドレス「１」に、アドレスシフト量「＋２」が加算された第３アドレスの画素から読み出しが開始される。フレーム３においては、フレーム２の読み出し開始アドレス「３」に、アドレスシフト量「＋３」が加算された第６アドレスの画素から読み出しが開始される。スクロール速度が徐々に加速され、制限速度に達すると、加速度が０となり一定速度でスクロールするように制御される。
【００８８】
一方、減速する場合は、フレーム単位でアドレスのシフト量を減少させる。スクロール速度を１フレームにつき１画素分下げる場合、具体的には負の等加速度を持つ場合、リードアドレスのアドレスシフト量は、直前の読み出し開始位置と比べて、「＋３」、「＋２」、「＋１」…と、各フレームついて、等差−１の等差数列値がアドレスシフト量に設定される。この場合、等差が−１であるので、１フレームにつき速度が１画素分減少することを示す。
【００８９】
このような処理により、第５の変形例に係る画像信号処理部１０は、図１５のようなスクロール処理速度を持つスクロール画像を出力することができる。図１５の例では、等加速度１でスクロール速度を増加させ、等加速度０でスクロール速度を維持した後、等加速度−１でスクロール速度を減少させている。
【００９０】
このように、第５の変形例に係る画像表示装置は、アドレスシフト量を等差で増加させることにより、等加速でスクロール速度が増加するスクロール画像を出力することができる。
【００９１】
このスクロール速度の変化は、水平方向のスクロールに適用されてもよいし、垂直方向のスクロールに適用されてもよい。また、水平方向と垂直方向の両方のスクロールに適用されてもよい。また、上記の例ではアドレスシフト量がプラスの値である場合について説明しているが、マイナスの値を持つことにより、反対方向のスクロールを実現してもよい。
【００９２】
（第６の変形例）
第５の変形例においては、スクロール速度が等加速する場合について説明したが、第６の変形例においては、スクロール処理速度が滑らかに変化する場合について説明する。
【００９３】
第６の変形例においては、水平方向のスクロール処理速度を滑らかに変化させるため、第６の変形例に係る画像信号処理部１０は、図１７に示すようなｓｉｎカーブで加速度を近似させる処理例を説明する。
【００９４】
図１７に示すｓｉｎカーブは、スクロール処理速度の振幅の中心が４、振幅が４、角周波数がπ／６０（＝２π／１２０）となっている。ここで、時間（フレーム）をＦとすると、スクロール処理速度νは、式（１）で表すことができる。
【数１】
2009063659.tif 000003
【００９５】
このとき、ν（画素／フレーム）が、４、５、６、７、８・・・・となる時間（フレーム）は、下記の式（２）乃至式（６）のようにして求められる。
【数２】
2009063659.tif 000004
【００９６】
上記の計算により、速度ν＝４となるのは、時間Ｆ＝０のときである。
【００９７】
速度ν＝５となるのは、時間Ｆ＝４．８２のときである。従って、フレーム０からフレーム４までは速度ν＝４である。フレーム０からフレーム４のときは、アドレスシフト量に＋４が設定され、フレーム５のときに、アドレスシフト量は１加算され＋５が設定される。これにより、フレーム０からフレーム４の間は、処理速度ν＝４である。
【００９８】
速度ν＝６となるのは、時間Ｆ＝１０のときである。従って、フレーム５からフレーム９までは速度ν＝５である。フレーム５からフレーム９のときは、アドレスシフト量に＋５が設定され、フレーム１０のときに、アドレスシフト量は１加算され＋６が設定される。これにより、フレーム５からフレーム９の間は、処理速度ν＝５である。
【００９９】
速度ν＝７となるのは、時間Ｆ＝１６．２のときである。従って、フレーム１０からフレーム１６までは速度ν＝６である。フレーム１０からフレーム１６のときは、アドレスシフト量に＋６が設定され、フレーム１７のときに、アドレスシフト量は１加算され＋７が設定される。これにより、フレーム１０からフレーム１６の間は、処理速度ν＝６である。
【０１００】
速度ν＝８となるのは、時間Ｆ＝３０のときである。従って、フレーム１７からフレーム２９までは速度ν＝７である。フレーム１７からフレーム２９のときは、アドレスシフト量に０が設定される。これにより、フレーム１７からフレーム２９の間は、処理速度ν＝７である。
【０１０１】
上記のようにスクロール速度の制御は、図１９に示すリードアドレスカウンタ制御部２６によってなされる。リードアドレスカウンタ制御部２６は、図２に示した実施の形態に係るリードアドレスカウンタ２３を制御する。
【０１０２】
リードアドレスカウンタ制御部２６は、アドレスシフト量変化タイミング発生手段２４と、アドレスシフト量制御手段２５を有している。さらに、リードアドレスカウンタ制御部２６が読み出し可能なＲＡＭ（図示せず）を備えている。
【０１０３】
ＲＡＭには、上記の式によって算出されたアドレスシフト量が変位する一周期の時間が記されている。
【０１０４】
アドレスシフト量変化タイミング発生手段２４は、ＲＡＭの情報を読み出して入力する。アドレスシフト量変化タイミング発生手段２４は、垂直同期信号を所定の周期でカウントし、ＲＡＭから読み出されたシフト量変移時刻に応じて、変化タイミングをアドレスシフト量制御手段２５に出力する。上記の例においては、時刻５、１０及び１７のときにアドレスシフト量を＋１にする変化信号をアドレスシフト量制御手段２５に入力する。
【０１０５】
アドレスシフト量制御手段２５は、アドレスシフト量変化タイミング発生手段２４から入力された変化タイミングに合わせて、フレーム単位で読み出しを開始する画素の位置を変化させるために、リードアドレスカウンタ２３に、読み出し開始位置を出力する。具体的には、アドレスシフト量制御手段２５は、フレーム０からフレーム４までは「０」を、フレーム５からフレーム９までは「１」を、フレーム１０からフレーム１６までは「２」を、フレーム１７からフレーム２９までは「３」を、リードアドレスカウンタ２３に入力する。リードアドレスカウンタ２３は、各ラインの画素を読み出す際、リードアドレスカウンタ２３に指定された画素位置から読み出しを開始する。
【０１０６】
上記の例では、ＲＡＭに一周期のアドレスシフト量の変移時刻を予め入力している場合について説明しているが、変移時刻を算出するＣＰＵまたは回路を設け、その計算結果を入力してもよい。また、ｓｉｎカーブの振幅、角周波数を変更することにより、スクロール処理速度を時間に応じて自由に変化させることができる。
【０１０７】
このような本発明の第６の変形例に係る画像信号処理部１０によれば、スクロール速度の加速度をフレーム単位で制御し、スクロール速度を滑らかに変化させることができるので、自然なスクロール画像を出力することができる。また、単純なスクロールではなく、様々な速度変化を持ったスクロール画像を、デモンストレーション中に任意に再現することができる。第６の変形例においては、水平スクロールの場合について説明したが、垂直スクロール、斜めスクロールにおいても同様に制御することで、画像信号処理部１０は、滑らかな速度変化を有するスクロール画像を出力することができる。
【０１０８】
（その他の実施の形態）
本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【０１０９】
【図１】本発明の実施の形態に係る画像表示装置の機能ブロック図である。
【図２】本発明の実施の形態に係る水平スクロール部を説明する機能ブロック図である。
【図３】本発明の実施の形態の水平スクロール部において、ライト時のアドレス制御を説明する図である。
【図４】本発明の実施の形態の水平スクロール部において、リード時のアドレス制御を説明する図である。
【図５】（ａ）は、本発明の実施の形態において水平スクロール部に入力される画像の一例で、（ｂ）は、本発明の実施の形態において水平スクロール部から出力される画像の一例である。
【図６】（ａ）は、本発明の実施の形態においてフレーム周波数変換部に入力される画像を説明する図で、（ｂ）は、本発明の実施の形態においてフレーム周波数変換部から出力される画像を説明する図である。
【図７】第１の変形例に係る画像表示装置の機能ブロック図である。
【図８】第１の変形例の垂直スクロール部において、リード時のアドレス制御を説明する図である。
【図９】（ａ）は、第１の変形例において垂直スクロール部に入力される画像の一例で、（ｂ）は、第１の変形例において垂直スクロール部から出力される画像の一例である。
【図１０】第２の変形例に係る画像表示装置の機能ブロック図である。
【図１１】（ａ）は、第２の変形例において垂直スクロール部に入力される画像の一例で、（ｂ）は、第２の変形例において垂直スクロール部から出力される画像の一例で、（ｃ）は、第２の変形例において水平スクロール部から出力される画像の一例である。
【図１２】第３の変形例に係る画像表示装置の機能ブロック図である。
【図１３】第３の変形例に係る画像表示装置が表示する画面の一例である。
【図１４】第４の変形例に係る画像表示装置において、画像表示装置が出力する画像データの表示モードの切り替えを説明する図である。
【図１５】第５の変形例に係る画像表示装置において、各画像フレームとスクロール処理速度の関係を説明する図である。
【図１６】第５の変形例に係る画像表示装置において、水平方向のスクロール速度が等加速される場合のリードアドレスのカウンタ制御を説明する図である。
【図１７】第６の変形例に係る画像表示装置において、各画像フレームとスクロール処理速度の関係を説明する図である。
【図１８】第６の変形例に係る画像表示装置において、水平方向のスクロール速度がｓｉｎカーブによって加速される場合のリードアドレスのカウンタ制御を説明する図である。
【図１９】第６の変形例に係る画像表示装置のリードアドレスカウンタ制御部を説明する図である。
【符号の説明】
【０１１０】
１，１Ａ，１Ｂ，１Ｃ  画像表示装置
１０，１０Ａ，１０Ｂ，１０Ｃ  画像信号処理部
１１  ＩＰ変換部
１２  フレームメモリ
１３  垂直スクロール部
１４  垂直スケーラ部
１５  水平スクロール部
１６  水平スケーラ部
１７  フレーム周波数変換部
１８ａ  第１のスクロール部
１８ｂ  第２のスクロール部
１９  ２画面混合部
２１ａ，２１ｂ  ラインメモリ
２２  ラインアドレスカウンタ
２３  リードアドレスカウンタ
２４  アドレスシフト量変化タイミング発生手段
２５  アドレスシフト量制御手段
２６  リードアドレスカウンタ制御部
【図１】
2009063659.tif 000005
【図２】
2009063659.tif 000006
【図３】
2009063659.tif 000007
【図４】
2009063659.tif 000008
【図５】
2009063659.tif 000009
【図６】
2009063659.tif 000010
【図７】
2009063659.tif 000011
【図８】
2009063659.tif 000012
【図９】
2009063659.tif 000013
【図１０】
2009063659.tif 000014
【図１１】
2009063659.tif 000015
【図１２】
2009063659.tif 000016
【図１３】
2009063659.tif 000017
【図１４】
2009063659.tif 000018
【図１５】
2009063659.tif 000019
【図１６】
2009063659.tif 000020
【図１７】
2009063659.tif 000021
【図１８】
2009063659.tif 000022
【図１９】
2009063659.tif 000023